(57)【特許請求の範囲】
【請求項１】
ディスプレイ装置であって、
複数のセグメント映像を受信可能な受信部と、
前記受信部から受信される映像を処理可能な映像処理部と、
前記処理された映像を表示可能なディスプレイ部と、
前記受信部から受信された複数のセグメント映像に基づいて３次元コンテンツ映像を生成し、
前記生成された３次元コンテンツ映像のうち、一視点に該当する映像を表示し、
前記各セグメント映像の受信状態に基づいて、現在表示される一視点の少なくとも一つの隣接視点に対する表示品質に関する情報を表示するように前記ディスプレイ部を制御する制御部と、
を備えるディスプレイ装置。
【請求項２】
前記表示品質は、前記セグメントの映像が受信される速度、前記セグメントの映像が受信された量、前記セグメントの映像を再生可能な時間、及び前記セグメント映像の解像度のうち少なくとも一つを含む、請求項１に記載のディスプレイ装置。
【請求項３】
前記制御部は、前記表示品質の程度をテキストで表示する、請求項１に記載のディスプレイ装置。
【請求項４】
前記制御部は、前記表示品質の程度に対応する大きさを有する項目を含むＵＩ（ユーザーインターフェース）を前記ディスプレイ部に表示する、請求項１に記載のディスプレイ装置。
【請求項５】
前記制御部は、前記表示品質が第１程度である時、第１色相を前記ディスプレイ部に表示し、前記表示品質が前記第１程度より高い第２程度である時、第２色相を前記ディスプレイ部に表示する、請求項１に記載のディスプレイ装置。
【請求項６】
前記制御部は、前記表示品質が前記第１程度と前記第２程度との間にある第３程度である時、前記第１色相と前記第２色相との間にある第３色相を前記ディスプレイ部に表示する、請求項５に記載のディスプレイ装置。
【請求項７】
前記制御部は、前記表示品質の程度が他のセグメントの映像より高いか又は低いであるセグメント映像の方向を指す矢印を前記ディスプレイ部に表示する、請求項１に記載のディスプレイ装置。
【請求項８】
前記制御部は、前記表示中の映像において、前記隣接視点の方向に対応する縁に、前記表示品質に関する情報を表示する、請求項１に記載のディスプレイ装置。
【請求項９】
前記制御部は、前記一視点の移動が停止した状態で移動を始める時、前記表示品質に関する情報を前記ディスプレイ部に表示する、請求項１に記載のディスプレイ装置。
【請求項１０】
前記制御部は、前記一視点が移動して前記セグメント映像の境界から所定距離以内に近接する時、前記表示品質に関する情報を前記ディスプレイ部に表示する、請求項１に記載のディスプレイ装置。
【請求項１１】
前記制御部は、前記表示品質の程度が臨界レベルより低くなる時、前記表示品質に関する情報を前記ディスプレイ部に表示する、請求項１に記載のディスプレイ装置。
【請求項１２】
前記制御部は、前記表示品質が所定の程度以上に変更される時、前記表示品質に関する情報を前記ディスプレイ部に表示する、請求項１に記載のディスプレイ装置。
【請求項１３】
ディスプレイ装置の制御方法であって、
複数のセグメント映像を受信する段階と、
前記受信される映像を処理する段階と、
前記処理された映像を表示する段階と、
を含み、
前記処理された映像を表示する段階は、
前記受信された複数のセグメント映像に基づいて３次元コンテンツ映像を生成する段階と、
前記生成された３次元コンテンツ映像のうち、一視点に該当する映像を表示する段階と、
前記各セグメント映像の受信状態に基づいて、現在表示される一視点の少なくとも一つの隣接視点に対する表示品質に関する情報を表示する段階と、
を含む、ディスプレイ装置の制御方法。
【請求項１４】
前記表示品質は、前記セグメントの映像が受信される速度、前記セグメントの映像が受信された量、前記セグメントの映像を再生可能な時間、及び前記セグメント映像の解像度のうち少なくとも一つを含む、請求項１３に記載のディスプレイ装置の制御方法。
【請求項１５】
前記隣接視点に対する表示品質に関する情報を表示する段階は、
前記表示品質の程度をテキストで表示する段階を含む、請求項１３に記載のディスプレイ装置の制御方法。
【発明の詳細な説明】
【技術分野】
【０００１】
本発明はディスプレイ装置及びその制御方法に関し、特に、ユーザが円滑に視点を移動させつつ視聴できるコンテンツの映像を提供するディスプレイ装置及びその制御方法に関する。
【背景技術】
【０００２】
最近、ディスプレイ装置は様々なコンテンツの映像を提供することができる。３６０度映像がその一つであり、複数台のカメラ或いは複数のレンズを装着したカメラを用いて全方位映像を撮影して仮想空間にマップし、ユーザに実際の空間にいるかのように画面を見せ、相互作用するように感じさせる技術である。ディスプレイ装置は、３６０度映像を提供するために、球形映像からユーザが選択した視点に対応する領域を平面領域に変換したり、表示中の映像を拡大又は縮小して提供する。
【０００３】
コンテンツの映像が３６０度映像である場合、一般映像に比べてデータの大きさが大きいため、ディスプレイ装置は、全領域の映像を一度に受信せず、ユーザが現在視聴中であるか又は視聴が予想されるセグメントをまず受信するよう、具現することができる。また、ネットワーク環境を自ら認知し、映像の解像度を適応的に変更して伝送するアダプティブストリーミング（ａｄａｐｔｉｖｅ  ｓｔｒｅａｍｉｎｇ）を用いる場合、３６０度映像はセグメント別に異なる解像度を有し得る。
【発明の概要】
【発明が解決しようとする課題】
【０００４】
このような従来技術によれば、視聴者は３６０度映像の視聴中に視点を変更する場合、予想せぬバッファリング又は低下した解像度によって円滑な視聴を妨害されるという問題があった。
【課題を解決するための手段】
【０００５】
本発明は、上述した問題点を解決するためのもので、コンテンツの映像の各セグメントの受信状態に基づいて表示品質に関する情報を提供し、コンテンツの映像が３６０度映像である場合、ユーザが映像を視聴中に円滑に視点を移動させることができるディスプレイ装置及びその制御方法を提供する。
【０００６】
上記の問題を解決するために、複数のセグメント映像を受信可能な受信部と、前記受信部から受信される映像を処理可能な映像処理部と、前記処理された映像を表示可能なディスプレイ部と、前記受信部から受信された複数のセグメント映像に基づいて３次元コンテンツ映像を生成し、前記生成された３次元コンテンツ映像のうち、一視点に該当する映像を表示し、前記各セグメント映像の受信状態に基づいて、現在表示される一視点の少なくとも一つの隣接視点に対する表示品質に関する情報を表示するように前記ディスプレイ部を制御する制御部とを備えるディスプレイ装置が提供される。これによって、ユーザが映像を視聴中に円滑に視点を移動させることができる。
【０００７】
前記表示品質は、前記セグメントの映像が受信される速度、前記セグメントの映像が受信された量（ａｍｏｕｎｔ）、前記セグメントの映像を再生可能な時間、及び前記セグメント映像の解像度のうち少なくとも一つを含み、ユーザに表示品質に関する様々な情報を提供する。
【０００８】
前記制御部は前記表示品質の程度をテキストで表示し、情報が正確に伝達される。
【０００９】
前記制御部が前記表示品質の程度に対応する大きさを有する項目を含むＵＩ（ユーザーインターフェース）を前記ディスプレイ部に表示することによって、直観的なインターフェースを通じて情報を提供し、ユーザの利用性が増加する。
【００１０】
前記制御部は、前記表示品質が第１程度である時、第１色相を前記ディスプレイ部に表示し、前記表示品質が前記第１程度より高い第２程度である時、第２色相を前記ディスプレイ部に表示し、ユーザは色相によって表示品質の程度を直観的に認識することができる。
【００１１】
前記制御部は、前記表示品質が前記第１程度と前記第２程度との間にある第３程度である時、前記第１色相と前記第２色相との間にある第３色相を前記ディスプレイ部に表示し、中間程度の表示品質の程度に対応する色相が紹介される。
【００１２】
前記制御部は、前記表示品質の程度が他のセグメントより高いか又は低いであるセグメントの方向を指す矢印を前記ディスプレイ部に表示し、ユーザにとっては円滑な視聴のための視点を移動させる方向に対してガイドを受けることができる。
【００１３】
前記制御部は前記表示中の前記映像において、前記セグメントの方向に対応する縁に前記表示品質に関する情報を表示し、表示品質に関する情報を提供する様々な実施例が紹介される。
【００１４】
前記制御部は前記視点が停止した状態で移動を始める時、前記表示品質に関する情報を前記ディスプレイ部に表示し、表示品質に関する情報を提供する視点に対する実施例が紹介される。
【００１５】
前記制御部は、前記一視点が移動して前記セグメントの境界から所定距離以内に近接する時、前記表示品質に関する情報を前記ディスプレイ部に表示し、表示品質に関する情報を提供する視点に対する様々な実施例が紹介される。
【００１６】
前記制御部は、前記表示品質の程度が臨界レベルより低くなる時、前記表示品質に関する情報を前記ディスプレイ部に表示し、表示品質に関する情報を提供する視点に対する様々な実施例が紹介される。
【００１７】
前記制御部は、前記表示品質が所定の程度以上に変更される時、前記表示品質に関する情報を前記ディスプレイ部に表示し、視聴品質に関する情報を提供する視点に対する様々な実施例が紹介される。
【００１８】
上記の問題を解決するために、複数のセグメント映像を受信する段階と、前記受信される映像を処理する段階と、前記処理された映像を表示する段階とを含み、前記処理された映像を表示する段階は、前記受信された複数のセグメント映像に基づいて３次元コンテンツ映像を生成する段階と、前記生成された３次元コンテンツ映像のうち一視点に該当する映像を表示する段階と、前記各セグメント映像の受信状態に基づいて、現在表示される一視点の少なくとも一つの隣接視点に対する表示品質に関する情報を表示する段階とを含む、ディスプレイ装置の制御方法が提供される。これによって、ユーザが映像を視聴中に円滑に視点を移動させることができる。
【００１９】
前記表示品質は、前記セグメントの映像が受信される速度、前記セグメントの映像が受信された量（ａｍｏｕｎｔ）、前記セグメントの映像を再生可能な時間、及び前記セグメント映像の解像度のうち少なくとも一つを含み、ユーザに表示品質に関する様々な情報を提供する。
【００２０】
前記セグメントの表示品質に関する情報を表示する段階は、前記表示品質の程度をテキストで表示する段階を含み、情報が正確に伝達される。
【００２１】
前記セグメントの表示品質に関する情報を表示する段階は、前記表示品質の程度に対応する大きさを有する項目を含むＵＩ（ユーザーインターフェース）を表示する段階を含むことによって、情報を直観的なインターフェースを通じて提供し、ユーザの利用性が増加する。
【００２２】
前記セグメントの表示品質に関する情報を表示する段階は、前記表示品質が第１程度である時、第１色相を表示し、前記表示品質が前記第１程度より高い第２程度である時、第２色相を表示する段階を含み、ユーザは色相によって表示品質の程度を直観的に認識することができる。
【００２３】
前記セグメントの表示品質に関する情報を表示する段階は、前記表示品質が前記第１程度と前記第２程度との間にある第３程度である時、前記第１色相と前記第２色相との間にある第３色相を表示する段階を含み、中間程度の表示品質の程度に対応する色相が紹介される。
【００２４】
前記セグメントの表示品質に関する情報を表示する段階は、前記表示品質の程度が他のセグメントより高いか又は低いであるセグメントの方向を指す矢印を表示する段階を含み、ユーザは円滑な視聴のための視点を移動させる方向に対するガイドを受けることができる。
【００２５】
前記セグメントの表示品質に関する情報を表示する段階は、前記表示中の前記映像において、前記セグメントの方向に対応する縁に前記表示品質に関する情報を表示する段階を含み、表示品質に関する情報を提供する様々な実施例が紹介される。
【図面の簡単な説明】
【００２６】
【図１】本発明の一実施例に係るディスプレイ装置を示す。
【図２】本発明の一実施例に係る３６０度映像が処理される手順を示す。
【図３】本発明の一実施例に係るディスプレイ装置を示すブロック図である。
【図４】本発明の一実施例に係る、複数のセグメントに区分されるコンテンツの映像を示す。
【図５】本発明の一実施例に係る、表示品質の程度に対応する大きさを有する項目を含むＵＩの提供例を示す。
【図６】本発明の一実施例に係る、表示品質の程度に対応する色相を有する項目を含むＵＩの提供例を示す。
【図７】本発明の他の実施例に係る、表示品質に関する情報を、各セグメントの方向に対応する縁に、表示品質の程度に対応する大きさを有するように提供する例を示す。
【図８】本発明の他の実施例に係る、表示品質に関する情報を、各セグメントの方向に対応する縁に、表示品質の程度に対応する色相を有するように提供する例を示す。
【図９】本発明の一実施例に係る、表示品質が高い方向を指す矢印を提供する例を示す。
【図１０】本発明の一実施例に係る、視点が０移動する時、表示品質に関する情報を提供する例を示す。
【図１１】本発明の一実施例に係る、視点がセグメント間の境界に近接する例を示す。
【図１２】本発明の一実施例に係る、視点がセグメント間の境界に近接する時、表示品質に関する情報を提供する例を示す。
【図１３】本発明の一実施例に係る、表示品質の程度が臨界レベル以下の時、表示品質に関する情報を提供する例を示す。
【図１４】本発明の一実施例に係るディスプレイ装置の制御流れ図である。
【発明を実施するための形態】
【００２７】
以下、添付の図面を参照して本発明に係る実施例に関して詳細に説明する。以下の実施例の説明では添付の図面に記載された事項を参照するが、各図面に提示された同一の参照番号又は符号は実質的に同一の機能を有する構成要素を示す。
【００２８】
もし、実施例において第１構成要素、第２構成要素などのように序数を含む用語があると、それらの用語は様々な構成要素を説明するために使われるものであり、一つの構成要素を他の構成要素と区別するために使われるので、これらの構成要素は用語によってその意味が限定されない。実施例で使用する用語は、当該実施例を説明するために適用されるもので、本発明の思想を限定するものではない。
【００２９】
以下、実施例によって説明される本発明の思想は、３６０度で視点を変更できる３次元コンテンツの映像を提供するディスプレイ装置に適用することができる。
【００３０】
図１は、本発明の一実施例に係るディスプレイ装置を示す。本発明の一実施例に係るディスプレイ装置１はＴＶとすることができる。本発明の他の実施例として、ディスプレイ装置１は、スマートフォン、タブレット、モバイルフォン、コンピュータ、マルチメディア再生機、電子額縁、デジタル広告板、ＬＦＤ、デジタルサイネージ、セットトップボックス、スマートウォッチ及びヘッドマウント型ディスプレイなどのウェアラブルデバイス、冷蔵庫などを含め、映像を出力可能な装置によって具現することができるが、本発明はそれらに限定されない。
【００３１】
本実施例におけるディスプレイ装置（図３の１を参照）は、受信された複数のセグメントの映像を処理して３次元コンテンツの映像を出力できる装置として具現される。３次元コンテンツの映像は、複数の視点を有する３６０度映像でよい。以下、３次元コンテンツの映像を３６０度映像とも呼ぶ。本実施例におけるディスプレイ装置１は、３次元コンテンツの映像が３６０度映像の場合、３次元マッピングオブジェクトにマップされた映像１００を生成することができる。３次元マッピングオブジェクトが球形である場合、マップされた映像１００は、以下、「球形映像１００」ともいう。このうち、一視点１０１ａ，１０１ｂに対応する領域を処理して得られた出力画面１０３ａ，１０３ｂを画面に表示する。本実施例における球形映像１００は、少なくとも一つのレンズを装着したカメラが個別の方位に対して取得した複数の映像を３次元マッピングオブジェクトにマップして生成されたものでよく、場合によって少なくとも一つのレンズは広角レンズであってもよい。一実施例として、３次元マッピングオブジェクトは球形でよいが、これに限定されない。また、球形映像１００を生成するための手段は、説明された例示に制限されない。球形映像１００は、複数のカメラから生成された映像でよい。ディスプレイ装置１は、少なくとも一つのカメラから球形映像１００を受信したり、又はサーバー、ＵＳＢ記憶装置、コンピュータなどの外部装置から球形映像１００を受信することができる。ディスプレイ装置１は、複数の映像、球形映像１００、球形にマップされる前の複数の映像を繋ぎ合わせてスティッチングしたスティッチング映像（図２の２０１参照）を外部から受信することができる。受信する映像は、単一映像で受信することができ、具現によって複数のセグメント別に受信してもよい。各セグメントは該当する領域の映像を含み、以下、セグメントに該当する領域の映像を「セグメントの映像」と称する。ディスプレイ装置１は、映像がセグメント別に受信される場合、受信されたセグメント別に映像を処理して提供することができる。一視点１０１がまだ受信されていないセグメントの領域に位置すると、ディスプレイ装置１は、視点１０１に対応する出力映像１０３ａ，１０３ｂを円滑に提供することができない。また、一視点１０１が解像度の低いセグメントの領域に位置する場合、視点１０１に対応する出力映像１０３ａ，１０３ｂの解像度が視聴中の映像のそれと異なってくることがある。
【００３２】
図２は、本発明の一実施例に係るコンテンツの映像が処理される手順を示す。コンテンツの映像が３６０度視点を有する３次元コンテンツ映像である場合、入力映像２００は、少なくとも一つのカメラ或いは少なくとも一つのレンズを有するカメラを用いて個別の方位から取得した複数の映像を含む。入力映像２００に対して少なくとも一つの映像処理を行って出力映像２０７を生成する。映像処理は、ディスプレイ装置１で行われてもよいが、外部で映像処理が行われ、処理された映像がディスプレイ装置１に伝達されてもよい。後述するように、処理された映像は、単一映像で受信されてもよく、具現によってセグメント（図４の符号４００〜４０５参照）別に伝達されてもよい。映像処理は、スティッチング処理、マッピング処理、及びプロジェクション処理を含む。
【００３３】
ディスプレイ装置１は、入力映像２００を３Ｄマッピングオブジェクトにマップして球形映像１００を生成する。３Ｄマッピングオブジェクトは球形に限定されず、六面体であるキューブなどをさらに含んでもよい。以下では、球形にマップする実施例を中心に説明するが、本発明の思想において他の形態のマッピング処理を排除しようとするものではない。ディスプレイ装置１は、続いて、マップされた球形映像１００のうち一視点１０１に対応する領域の曲面映像を平面映像に変換するプロジェクション処理を行って平面映像を生成し、これを出力映像２０７として出力する。
【００３４】
他の実施例において、入力映像２００がセグメント４００〜４０５別に受信される場合、ディスプレイ装置１は、具現によって、入力映像２００にスティッチング処理をさらに行った後、スティッチング処理されたスティッチング映像２０１をマップして球形映像１００を生成してもよい。
【００３５】
スティッチング処理は、入力映像２００を３ＤマッピングオブジェクトによってＨＤＲＩ（ｈｉｇｈ  ｄｙｎａｍｉｃ  ｒａｎｇｅ  ｉｍａｇｉｎｇ）マップ方式又はキューブ（Ｃｕｂｅ）マップ方式を用いて連結（又は、‘スティッチング’）してスティッチング映像２０１を生成する処理である。スティッチング処理がＨＤＲＩマップ方式によって行われる場合、球形にマップする前段階である正距円筒（Ｅｑｕｉｒｅｃｔａｎｇｕｌａｒ）にマップする。スティッチング処理がキューブマップ方式によって行われる場合、６方向から取得した映像を正六面体であるキューブにマップする。球形（ｓｐｈｅｒｉｃａｌ）マッピング処理は、生成されたスティッチング映像２０１を球形にマップして球形映像１００を生成する。
【００３６】
他の実施例として、出力映像２０７は、球形映像１００を生成する段階を省き、視点１０１に対応するスティッチング映像２０１の一領域から生成されてもよい。
【００３７】
本発明の一実施例に係る視点１０１に対応する領域の選択は、ユーザによって決定され得る。具体的に、ディスプレイ装置１は画面の表示中に、視点１０１を移動させるユーザ入力に応じて、球形映像において移動した視点１０１に対応する領域を決定し、決定された領域の画面を表示する。視点１０１を移動させるユーザ命令（以下、‘視点移動命令’という。）は、リモコンから受信できる。ディスプレイ装置１は、具現方式によって、指タッチ、ヘッドマウントディスプレイの動きなどの様々な入力手段による視点移動命令を受信することができる。
【００３８】
本発明の一実施例に係る３次元コンテンツの映像は、前述したようにセグメント（図４の４００〜４０５参照）別に伝達される。ディスプレイ装置１は、外部から複数のセグメント４００〜４０５別にコンテンツの映像を受信し、受信されたコンテンツの映像のうち、一視点１０１に対応する映像を表示する。ディスプレイ装置１は、各セグメント４００〜４０５別に受信される入力映像２００をスティッチング及び／又は３Ｄマッピングオブジェクトにマップすることによって球形映像１００を生成することができる。ディスプレイ装置１はまた、セグメント４００〜４０５に分割されたスティッチング映像２０１を受信し、セグメント４００〜４０５別に３Ｄマッピングオブジェクトにマップすることによって球形映像１００を生成し、一視点１０１に対応する映像を表示することができる。他の実施例として、ディスプレイ装置１は、セグメント４００〜４０５に分割された球形映像１００を受信し、そのうち、一視点１０１に対応する映像を表示することもできる。セグメント４００〜４０５別に受信状態が異なることから、３次元コンテンツの映像の全てのフレームが常に完成したスティッチング映像２０１又は球形映像１００の形態を有するとはいえない。
【００３９】
ディスプレイ装置１は、各セグメント４００〜４０５の受信状態に基づいて、現在表示される一視点１０１から少なくとも一つの隣接視点の表示品質に関する情報を共に表示する。
【００４０】
表示品質とは、ユーザが視点１０１を移動する場合、円滑に視聴を維持し続け得る程度のことを指し、現在表示中の出力映像２０７に対応する一視点１０１と隣接した視点が位置しているセグメント（４００〜４０５参照）が受信される速度、セグメント４００〜４０５が受信された量、セグメント４００〜４０５が再生可能な時間、及びセグメントに該当する映像の解像度などを含むが、これに限定されない。視点１０１の移動の方向は限定されない。ディスプレイ装置１は、視点１０１を上下／左右／対角線方向に移動させることができ、前／後進することができる。視点１０１の移動は、画面の拡大及び縮小を含む。ディスプレイ装置１は、現在表示中の視点１０１から移動可能な隣接視点の表示品質又は隣接視点が位置しているセグメント４００〜４０５の表示品質に関する情報を提供することによって、ユーザは提供された情報に基づいて視点１０１を移動させ、途切れなく円滑なコンテンツ利用が可能になる。
【００４１】
また、コンテンツの映像は動画であってもよい。この場合、映像はフレーム単位で処理され、ディスプレイ装置１は、コンテンツの映像をフレーム単位で受信することができる。セグメント４００〜４０５は、一つのフレームを複数個の領域に分けたものであり、コンテンツの映像が３６０度映像を含む場合、ディスプレイ装置１は各フレームを各セグメント４００〜４０５別に受信する。
【００４２】
ユーザが視点１０１を、まだ受信されていないか又は低解像度の映像が受信されたセグメント４００〜４０５に移動させた場合、ユーザは、予想せぬバッファリング及び低解像度の映像からコンテンツの映像視聴に妨害を受ける。ディスプレイ装置１は、ユーザが視点１０１を円滑に移動しつつコンテンツの映像を視聴できるよう、現在表示される一視点１０１と隣接する視点の表示品質、例えば、隣接視点が位置するセグメント４００〜４０５の受信速度、セグメント４００〜４０５が受信された量又はセグメント４００〜４０５の解像度、映像品質などの様々な情報を提供する。
【００４３】
図３は、本発明の一実施例に係るディスプレイ装置のブロック図である。本発明の一実施例に係るディスプレイ装置１は、受信部３００、信号処理部３０１、ディスプレイ部３０３、及び制御部３０９を備える。本発明の一実施例に係るディスプレイ装置１は、ユーザ入力部３０５及び記憶部３０７のうち少なくとも一つをさらに備えることができる。図３に示す本発明の一実施例に係るディスプレイ装置１の構成は一つの例示に過ぎず、本発明の一実施例に係るディスプレイ装置１は、図３に示す構成以外の構成が付加されたり、或いは図３に示す構成のいずれか一つが排除されてもよい。
【００４４】
受信部３００は、入力映像２００を含む映像信号を受信する。受信部３００は、映像信号を受信するためのチューナー（ｔｕｎｅｒ）を備えることができる。チューナーは、複数のチャネルのうち、ユーザによって選択されたいずれかのチャネルの放送信号をチューニングして受信することができる。受信部３００は、サーバーからネットワークを介してセグメント４００〜４０５別に映像信号を受信することができる。一例として、受信部３００は外部装置と通信するための通信部を備える。
【００４５】
通信部は有線通信のための接続部を有し、接続部は、ＨＤＭＩ（登録商標（ｈｉｇｈ  ｄｅｆｉｎｉｔｉｏｎ  ｍｕｌｔｉｍｅｄｉａ  ｉｎｔｅｒｆａｃｅ））、ＨＤＭＩ−ＣＥＣ（ｃｏｎｓｕｍｅｒ  ｅｌｅｃｔｒｏｎｉｃｓ  ｃｏｎｔｒｏｌ）、ＵＳＢ、コンポーネント（ｃｏｍｐｏｎｅｎｔ）などの規格に基づく信号／データを送／受信することができ、それらの各規格に対応する少なくとも一つのコネクター又は端子を有する。通信部は有線ＬＡＮ（ｌｏｃａｌ  ａｒｅａ  ｎｅｔｗｏｒｋ）を通じて複数のサーバーと有線通信を行うことができる。
【００４６】
通信部は、有線接続のためのコネクター又は端子を有する接続部の他にも、様々な他の通信方式によって具現することができる。例えば、外部装置と無線通信を行うためにＲＦ（ｒａｄｉｏ  ｆｒｅｑｕｅｎｃｙ）信号を送受信するＲＦ回路を備えることができ、Ｗｉ−ｆｉ、ブルトゥース、ジグビー（Ｚｉｇｂｅｅ）、ＵＷＭ（Ｕｌｔｒａ−Ｗｉｄｅ  Ｂａｎｄ）、Ｗｉｒｅｌｅｓｓ  ＵＳＢ、ＮＦＣ（Ｎｅａｒ  Ｆｉｅｌｄ  Ｃｏｍｍｕｎｉｃａｔｉｏｎ）のうち一つ以上の通信を行うように構成することができる。
【００４７】
ユーザ入力部３０５はユーザ入力を受信して制御部３０９に伝達する。ユーザ入力部３０５は、ユーザ入力の方式によって様々な形態にすることができ、例えば、ディスプレイ装置１の外側に設置されたメニューボタン、リモートコントローラ（ｒｅｍｏｔｅ  ｃｏｎｔｒｏｌｌｅｒ；以下、‘リモコン’という。）から受信されるユーザ入力のリモコン信号を受信するリモコン信号受信部、ディスプレイ部３０３に設けられ、ユーザのタッチ入力を受信するタッチスクリーン（ｔｏｕｃｈ−ｓｃｒｅｅｎ）、ユーザのジェスチャー入力を感知するカメラ、ユーザの音声入力を認識するマイク、ユーザの動きを感知するセンサーなどによって具現することができる。ユーザ入力は視点移動命令を含む。ディスプレイ装置１は、視点移動命令に基づいて、視点１０１に対応する領域を変更し、球形映像１００のうち、変更された一領域に対応する出力映像２０7をディスプレイ部３０３に表示する。
【００４８】
記憶部３０７は、ディスプレイ装置１の様々なデータを記憶するように構成される。記憶部３０７は、フラッシュメモリ（ｆｌａｓｈ  ｍｅｍｏｒｙ）、ＥＰＲＯＭ又はＥＥＰＲＯＭなどのような不揮発性メモリによって具現することができる。記憶部３０７は、ディスプレイ装置１の読み書きの速度が不揮発性メモリに比べて速いＤＲＡＭ又はＳＲＡＭのような揮発性メモリ（ｖｏｌａｔｉｌｅ  ｍｅｍｏｒｙ）をさらに備えることができる。
【００４９】
信号処理部３０１は、受信部３００から受信したコンテンツの映像に対して映像処理を行い、映像処理された映像信号をディスプレイ部３０３に出力し、ディスプレイ部３０３に出力映像を表示させる。信号処理部３０１は、制御部３０９の制御に応じて、一視点１０１に対応する領域に映像処理を行って出力映像２０３を生成する。また、視点１０１が移動すれば、移動した視点１０１に対応する領域の出力映像２０３を生成する。信号処理部３０１は、一つ以上のハードウェア及び／又はソフトウェアモジュール、或いはそれらの組合せによって具現することができる。視点１０１は、前述したように、ユーザ入力によって決定される。
【００５０】
他の実施例として、視点１０１をセグメント４００〜４０５の表示品質の情報に基づいて決定してもよい。例えば、ディスプレイ装置１は、ユーザの視点移動命令に応じて、視点１０１が、表示品質の程度が所定レベル以下のセグメント４００〜４０５に対応する領域へ移動する時、視点移動命令にもかかわらず、視点１０１をさらに移動させなくてもよい。この時、ディスプレイ装置１は、映像をセグメント別に伝送している外部サーバーに、ユーザが視点を移動しようとする領域に対応するセグメント４００〜４０５を優先して伝送するように要請し、更なるユーザの視点移動命令に備えることができる。
【００５１】
ディスプレイ部３０３は出力映像２０３を表示する。ディスプレイ部３０３の具現方式は限定されず、例えば、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導電子銃（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）などの様々なディスプレイ方式によって具現することができる。
【００５２】
ディスプレイ部３０３は、液晶方式の場合に、液晶ディスプレイパネル、液晶ディスプレイパネルに光を供給するバックライトユニット、及び液晶ディスプレイパネルを駆動させるパネル駆動基板などを備える。ディスプレイ部３０３は、バックライトユニット無しで、自発光素子であるＯＬＥＤパネルによって具現することもできる。
【００５３】
制御部３０９は、ディスプレイ装置１の諸般構成が動作するための制御を行う。制御部３０９は、このような制御動作を実行可能にする制御プログラムと、制御プログラムが設置される不揮発性メモリ、設置された制御プログラムの少なくとも一部がロードされる揮発性のメモリ、及びロードされた制御プログラムを実行する少なくとも一つのマイクロプロセッサ或いはＣＰＵ（ｃｅｎｔｒａｌ  ｐｒｏｃｅｓｓｉｎｇ  ｕｎｉｔ）を備えることができる。制御プログラムは、ＢＩＯＳ、デバイスドライバ、運営体系、ファームウェア、プラットホーム及び応用プログラム（アプリケーション）のうち少なくとも一つの形態とされるプログラムを含むことができる。一実施例として、応用プログラムは、ディスプレイ装置１の製造に当たって、ディスプレイ装置１にあらかじめ設置又は格納されてもよく、将来の使用時に、外部から応用プログラムのデータを受信し、受信されたデータに基づいてディスプレイ装置１に設置されてもよい。応用プログラムのデータは、例えば、応用プログラムマーケットのような外部サーバーからディスプレイ装置１にダウンロードされてもよい。
【００５４】
一実施例として、制御部３０９は、一視点１０１が位置しているセグメント４００〜４０５の表示品質の情報に基づいて、表示中の映像の解像度を変更させるように信号処理部３０１を制御することができる。例えば、視点１０１が、解像度が７２０ピクセルである第１セグメント４０４に位置するが、解像度が４８０ピクセルである第２セグメント４０１で移動し、視点１０１に対応する領域の一部は第１セグメント４０４を、他部は第２セグメント４０１を含む時、制御部３０９は、出力映像２０３が４８０ピクセルの解像度を有するように信号処理部３０１を制御することができる。
【００５５】
図４は、本発明の一実施例に係る複数のセグメント４００〜４０５に区分されるコンテンツの映像を示す。制御部３０９は、一実施例として、セグメント４００〜４０５別に受信されるコンテンツの映像のうち一視点１０１の映像４１０と、各セグメント４００〜４０５の受信状態に基づいて、表示中の視点１０１の隣接視点に対する表示品質に関する情報を、ディスプレイ部３０３で表示する。制御部３０９は、現在視点１０１が位置しているセグメント４０１と他のセグメント４００，４０２，４０３，４０４，４０５の表示品質に関する情報を表示してもよい。前述したように、コンテンツの映像は、入力映像２００、スティッチング映像２０１又は球形映像１００の状態でセグメント４００〜４０５別に受信部３００から受信される。図面では図示の便宜のために、球形映像１００の複数のセグメント４００〜４０５を示すが、映像が受信される方法はそれに限定されない。前述したように、ディスプレイ装置１は、セグメント４００〜４０５別にスティッチング映像２０１を受信して３Ｄマッピングオブジェクトにマップし、球形映像１００を生成することができる。また、複数のセグメント４００〜４０５に対応する球形映像１００における領域も図面に限定されない。
【００５６】
コンテンツの映像が３６０度映像の場合、データ量はかなり大きいが、受信部３００が単位時間内に受信できるデータの量は制限されている。制御部３０９は、ユーザの視聴を最適化するために、視聴中の領域（画面）に対応するセグメント４０１、又は現在視点１０１と隣接した視点のセグメント４００，４０２，４０４を、他のセグメント４０３，４０５に優先してサーバーから受信するために、優先的に要請することができる。サーバーは、ディスプレイ装置１の要請及びディスプレイ装置１のデータ処理速度などを考慮してセグメント４００〜４０５別にコンテンツを伝送し、この時、優先順位の低いセグメント４００，４０２は、ネットワーク状態によって低い解像度で伝送され得る。セグメント４００〜４０５の優先順位は、他のユーザの実施態様の分析、映像製作者の意図、ネットワーク状態、現在視点１０１の位置などを含む様々な条件によって決定され得る。
【００５７】
以下では、表示品質に関する情報を提供する様々な実施例を、図面を参照して説明する。表示品質に関する情報は、各セグメント４００〜４０５の表示品質の程度に対応する項目を含むＵＩで提供したり、表示品質の程度を示すテキストで提供したり、画面の一部に対応する大きさ又は色相を有するように表示するなど、様々な方式で提供することができる。以下、様々な実施例のうち、図示の便宜のために選択されたいくつかの実施例だけを説明するが、説明された例に本発明の思想が限定されるわけではない。
【００５８】
図５は、本発明の一実施例に係る表示品質の程度に対応する大きさを有する項目を含むＵＩの提供例を示す。本発明の一実施例に係る制御部３０９は、表示品質の程度に対応する大きさを有する項目を含むＵＩ５００を、ディスプレイ部３０３に表示することができる。ＵＩ５００は、隣接視点を指す複数の矢印を含む。また、図面には、各矢印が指す視点が位置しているセグメント４００〜４０５が受信される速度を表示しているが、これに限定されない。各矢印の大きさは、隣接視点の表示品質の程度に対応し得る。例えば、セグメント４００〜４０５が受信される速度が１００ｍｂ／ｓの場合に、矢印の大きさが最大であり、速度が５０ｍｂ／ｓの場合に矢印の大きさが中間であり、速度が５ｍｂ／ｓの場合に矢印の大きさが最小である。隣接視点又は隣接視点が位置している各セグメント４００〜４０５が受信される速度と矢印の大きさはいずれも例示に過ぎず、本発明の思想がそれに限定されるものではない。
【００５９】
ユーザから、セグメント４００〜４０５が受信される速度が５ｍｂ／ｓである一方向５０３へ視点１０１を移動させる視点移動命令が受信され、視点１０１ｂが両方のセグメント４０１，４０２間の境界に位置する。移動した視点１０１ｂのうち、第１セグメント４０１に対応する領域の映像５１０は円滑に表示されるが、第２セグメント４０２に対応する領域の映像５１１はサーバーから完全に受信されておらず、出力映像が正確に表示されない。
【００６０】
移動した視点１０１ｂの一部が第２セグメント４０２に位置することにより、第２セグメント４０２の優先順位が高まる。ディスプレイ装置１は、第２セグメント４０２の優先順位に基づいて、外部サーバーに第２セグメント４０２の優先的な伝送を要請する。ディスプレイ装置１の要請によって、第２セグメント４０２がダウンロードされる速度が速くなる。第２セグメント４０２がダウンロードされる速度が変更されることにより、ディスプレイ装置１は、移動した視点１０１ｂの隣接視点のうち第２セグメント４０２を指す方向に対応する項目５０５の大きさ及びテキストが変更されたＵＩ５０１を提供する。図面は単なる例示であり、各セグメント４０１，４０２の形態、大きさは、図面に示す形態及び大きさに限定されない。
【００６１】
図６は、本発明の一実施例に係る表示品質の程度に対応する色相(又は色調)を有する項目を含むＵＩの提供例を示す。また、同図には各矢印で指すセグメント４００〜４０５が再生可能な時間を表示しているが、これに限定されない。ＵＩ６００は、表示品質に対応する色相を有する複数の矢印を含むことができる。一例として、制御部３０９は、ＵＩ６００の表示品質が第１程度であるセグメント４００〜４０５に位置している隣接視点を指す矢印の色相を第１色相にさせ、表示品質が第１程度と異なる（高いか低い）第２程度であるセグメント４００〜４０５に位置している隣接視点を指す矢印の色相を第２色相にさせることができる。制御部３０９は、表示品質の程度が第１程度と第２程度との間にある第３程度であるセグメント４００〜４０５に位置している隣接視点を指す矢印の色相を、第１色相と第２色相との間である第３色相にさせることができる。第３色相は、第１色相及び第２色相と所定の色差が出る色相でよい。所定の色差は、第３程度が第１色相及び第２色相とどれくらい異なるかに基づいて決定することができる。例えば、第１程度が１分であり、第１色相はＲ：２５５、Ｇ：２５５、Ｂ：２５５のホワイトであり、第２程度が０秒であり、第２色相はＲ：０、Ｇ：０、Ｂ：０のブラックである場合、第３程度が３０秒であるとき、第３色相は、第１色相及び第２色相の両方と同一程度の色差を有するＲ：１２２．５、Ｇ：１２２．５、Ｂ：１２２．５の灰色でよい。同図では、図示の便宜上、異なる表示品質に対応する矢印が異なる明暗を有する例を示しているが、これに限定されない。
【００６２】
矢印の色相は、表示品質の程度ごとにそれぞれ対応付いて予め保存されてもよいが、最低と最高の程度にそれぞれ対応する２色相が決定された後、表示品質の程度によってある色相から他の色相にグラデーションされてもよい。
【００６３】
他の実施例によれば、隣接視点が位置しているセグメント４００〜４０５を指す矢印は、現在視点１０１とセグメント４００〜４０５との間の距離によって２個以上の色相を有してもよい。例えば、視点１０１が第１セグメント４０４に位置し、第２セグメント４０１から所定の距離で遠く離れていれば、制御部３０９は、第２セグメント４０１を指す矢印の一部は、第１セグメント４０４の表示品質に対応する第１色相を有し、他部は、第２セグメント４０１に対応する第２色相を有するようにしてもよい。この場合、第１色相と第２色相の境界を所定の距離に対応するように区分して表示してもよく、第１色相と第２色相が自然にグラデーションされるようにしてもよい。
【００６４】
図７は、本発明の他の実施例に係る表示品質に関する情報を、隣接した視点の方向に対応する縁に、表示品質の程度に対応する大きさを有するように提供する例を示す。本発明の一実施例に係る制御部３０９は、表示品質に関する情報を、現在視点と隣接した視点の方向に対応する縁に提供することができる。一例として、制御部３０９は、表示される映像の縁の方向に対応する視点が位置しているセグメント４００〜４０５の表示品質の程度に対応する厚さのシェーディング７００を表示することができる。シェーディング７００の厚さは、シェーディングに対応する視点が位置しているセグメント４００〜４０５の解像度に対応し得る。例えば、視点が位置しているセグメント４００〜４０５の解像度が高いほど、視点に対応する方向のシェーディング７００が厚く、視点が位置しているセグメント４００〜４０５の解像度が低いほど、シェーディング７００が薄くなる。各セグメント４００〜４０５の解像度とシェーディング７００の厚みはいずれも例示に過ぎず、本発明の思想がそれらに限定されるものではない。
【００６５】
ユーザから、セグメント４００〜４０５が隣接視点のセグメント４００〜４０５の一方向に視点１０１ａを移動させる視点移動命令が受信され、制御部３０９は視点１０１ａを移動させる。移動した視点１０１ｂは、２つのセグメント４０１，４０４間の境界に位置する。
【００６６】
移動した視点１０１ｂのうち、第１セグメント４０１に対応する領域の映像７１０は、表示されていた高い解像度で表示されるが、第２セグメント４０４に対応する領域の映像７１１は、第１セグメント４０１に比べて低解像度で表示される。視点１０１ｂが第２セグメント４０４に位置し、第２セグメント４０４の優先順位が高まる。
【００６７】
ディスプレイ装置１は、優先順位に基づいて、外部サーバーに第２セグメント４０４を優先的に伝送することを要請し、要請に基づいて、外部サーバーはディスプレイ装置１に第２セグメント４０４を優先的に伝送し、高い解像度を維持できるようになる。他の実施例によれば、ディスプレイ装置１は優先順位に基づいて外部サーバーに第２セグメント４０４の高い画質の映像を要請してもよい。
【００６８】
図面は単に例示であり、各セグメント４０１，４０４の形態及び大きさは、図面に示す形態及び大きさに限定されない。
【００６９】
図８は、本発明の他の実施例に係る、表示品質に関する情報を、隣接した視点の方向に対応する縁に、隣接視点が位置している各セグメント４００〜４０５の表示品質の程度に対応する色相を有するように提供する例を示す。また、同図は、各縁に隣接視点が位置する各セグメント４００〜４０５の残余フレーム数をテキストで表示しているが、これに限定されない。制御部３０９は、表示される映像の縁の方向に対応する視点のセグメント４００〜４０５の表示品質の程度に対応する色相のシェーディング８００，８０１，８０３，８０５を表示してもよい。一例として、制御部３０９は、表示品質が第１程度であるセグメント４００〜４０５が位置している視点を指す方向のシェーディング８００，８０３の色相を第１色相にさせ、第２程度であるセグメント４００〜４０５が位置している視点を指す方向のシェーディング８０５の色相を第２色相にさせ、第１程度と第２程度との間にある第３程度であるセグメント４００〜４０５が位置している視点を指す方向のシェーディング８０１の色相を、第１色相と第２色相との間にある第３色相にさせることができる。例えば、図８を参照すると、残余フレーム数が１００フレームであるセグメント４００〜４０５に対応するシェーディング８００，８０３の色相はホワイトであり、残余フレーム数が５０フレームであるセグメント４００〜４０５に対応するシェーディング８０１の色相はグレーであり、残余フレーム数が１５フレームであるセグメント４００〜４０５に対応するシェーディング８０５の色相はブラックである。図示の便宜のために、異なる表示品質に対応するシェーディング８００，８０１，８０３，８０５を、互いに異なる明暗の程度にして図示しているが、これに限定されない。
【００７０】
図９は、本発明の一実施例に係る、表示品質が高い方向を指す矢印を提供する例を示す。制御部３０９は、ユーザが円滑に視点１０１を移動させ得る方向に視点１０１の移動を誘導するために、複数のセグメント４００〜４０５のうち、表示品質の程度が他のセグメント４００〜４０５よりも高いセグメント４００〜４０５が位置する視点を指す矢印９００を、ディスプレイ部３０３に表示することができる。
【００７１】
他の例として、矢印９００は複数のセグメント４００〜４０５のうち、表示品質の程度が他のセグメント４００〜４０５よりも低いセグメント４００〜４０５が位置する視点を指してもよい。
【００７２】
以下では、図面を参照して、表示品質に関する情報が提供される様々な条件の実施例を紹介する。各セグメント４００〜４０５の表示品質に関する情報は常時提供されてもよいが、所定の条件を満たす時に限って提供されてもよい。例えば、視点１０１が移動する時、視点１０１が固定された時、視点１０１がセグメント４００〜４０５間の境界に近接する時、表示品質の程度が臨界レベルを超える時、臨界レベル以下の時、表示品質の程度が所定の程度以上と変化する時など、様々に具現できるが、これに限定されない。以下、様々な実施例のうち、図示の便宜のために選択されたいくつかの実施例を説明するが、説明された例に本発明の思想が限定されるわけではない。
【００７３】
図１０は、本発明の一実施例に係る、視点１０１が移動する時、表示品質に関する情報を提供する例を示す。制御部３０９は、視点１０１が停止中には表示品質に関する情報を提供しないが、視点１０１が移動し始めると、視点１０１の円滑な移動を助けるために、隣接視点が位置している各セグメント４００〜４０５の表示品質に関する情報１０００を提供することができる。前述したように、表示品質に関する情報１０００は、隣接視点又は隣接視点が位置している各セグメント４００〜４０５に対応する項目を含むＵＩ、テキスト及びその他様々な方式で提供することができる。
【００７４】
図１１は、本発明の一実施例に係る、視点１０１がセグメント間の境界に近接する例を示し、図１２は、本発明の一実施例に係る、視点１０１がセグメント間の境界に近接する時、表示品質に関する情報を提供する例を示す。制御部３０９は、視点１０１が移動してセグメント４００〜４０５の境界から所定距離以内に近接する時、表示品質に関する情報を提供することができる。すなわち、制御部３０９は、視点１０１が移動して、現在視点が位置しているセグメント４００〜４０５の境界に視点１０１が近接すれば、視点１０１が他のセグメント４００〜４０５に移動することがあると判断し、各隣接視点が位置しているセグメント４００〜４０５の表示品質に関する情報１２００を提供する。
【００７５】
他の例として、制御部３０９は、視点１０１が所定距離以内に近接したセグメント４００〜４０５のみの表示品質に関する情報を提供してもよい。一例として、制御部３０９は、図１１の視点１０１が第１セグメント４０１に位置するが、第２セグメント４０２の境界に近接すれば、第２セグメント４０２の表示品質に関する情報を提供する。同様に、制御部３０９は、視点１０１が第３セグメント４０４の境界に近接すれば、第３セグメント４０４の表示品質に関する情報を提供するだろう。
【００７６】
図面は単に例示であり、各セグメント４０１，４０２，４０４の形態及び大きさは、図面に示す形態及び大きさに限定されない。
【００７７】
図１３は、本発明の一実施例に係る、表示品質の程度が臨界レベル以下の時、表示品質に関する情報を提供する例を示す。制御部３０９は、ユーザが円滑に視点を移動し得るよう、表示品質の程度が臨界レベル以下であるセグメント４００〜４０５の表示品質に関する情報１３００を提供する。他の例として、制御部３０９は、表示品質の程度が臨界レベル以上であるセグメント４００〜４０５の表示品質に関する情報１３００を提供してもよい。同図は、表示される映像において、表示品質の程度が臨界レベル以下であるセグメント４００〜４０５の方向に対応する縁に、表示品質に関する情報１３００をシェーディング形態で提供する例を示すが、これに限定されない。
【００７８】
図１４は、本発明の一実施例に係るディスプレイ装置の制御流れ図である。
【００７９】
まず、動作Ｓ１４００で、受信部３００はコンテンツの映像を受信する。そして、動作Ｓ１４０１で、信号処理部３０１は、受信される映像を処理する。そして、Ｓ１４０２で、ディスプレイ部３０３は映像を表示する。最後に、動作Ｓ１４０３で、制御部３０９は、セグメント４００〜４０５別に受信されるコンテンツの映像のうち一視点の映像と、各セグメントの受信状態に基づいて少なくとも一つのセグメント４００〜４０５に対する表示品質に関する情報を表示する。
【００８０】
その他にも、図１４に示したディスプレイ装置の制御方法において、図１〜図１３を参照して説明したディスプレイ装置１の構成の特徴が同一或いは類似に適用されてもよい。
【００８１】
上述したように、本発明によれば、映像の表示品質に関する情報を提供することによって、ユーザはコンテンツの映像が３６０度映像である場合、映像を視聴中に円滑に視点を移動させることができる。
【００８２】
以上、本発明はたとえ限られた実施例及び図面によって説明されたが、当該技術分野における通常の知識を有する者であれば、以上の記載から様々な修正及び変形が可能である。
【図１】
0006744492.tif 000002
【図２】
0006744492.tif 000003
【図３】
0006744492.tif 000004
【図４】
0006744492.tif 000005
【図５】
0006744492.tif 000006
【図６】
0006744492.tif 000007
【図７】
0006744492.tif 000008
【図８】
0006744492.tif 000009
【図９】
0006744492.tif 000010
【図１０】
0006744492.tif 000011
【図１１】
0006744492.tif 000012
【図１２】
0006744492.tif 000013
【図１３】
0006744492.tif 000014
【図１４】
0006744492.tif 000015